(57)【特許請求の範囲】
【請求項１】
ＤＶＤビデオディスク等の動画映像を含むディスクを再生可能なディスク再生装置において、  ディスクに記録された信号を読み出して画像および音声の再生を行うデータ再生手段と、  ディスク再生装置の電源がオフされたときにディスクの再生中断位置を記憶する再生中断位置記憶手段と、  ディスク再生装置の電源がオンされたときに前記再生中断位置記憶手段に記憶された再生中断位置に関連する再生位置の静止画を表示させるとともに音声出力を停止させる再生ポーズ手段と、  前記再生ポーズを解除するポーズ解除手段とを備えたことを特徴とするディスク再生装置。
【請求項２】
前記再生ポーズ手段は、ディスク再生装置の電源がオンされたときに前記再生中断位置より所定時間前の再生位置の静止画を表示するとともに音声出力を停止することを特徴とする請求項１記載のディスク再生装置。
【請求項３】
前記再生ポーズ解除手段は、ディスク再生装置の電源がオンされてから所定時間経過したときに再生ポーズを解除することを特徴とする請求項１または請求項２記載のディスク再生装置。
【請求項４】
ディスクの種類を判別するディスク種類判別手段をさらに備え、  前記再生ポーズ手段は、前記ディスク判別手段の判別結果に基づいて、動画映像を含むディスクの再生時にディスク再生装置の電源がオンされたときに前記再生中断位置記憶手段に記憶された再生中断位置に関連する再生位置の静止画を表示させるとともに音声出力を停止させることを特徴とする請求項１記載のディスク再生装置。
【発明の詳細な説明】
【０００１】
【発明の属する技術分野】
本発明はディスク再生装置に係り、特に、ＤＶＤビデオ等の動画映像を含むディスクを再生し、再生中断位置から続き再生を行うことが可能なディスク再生装置に関する。
【０００２】
【従来の技術】
近年、ディスク型記憶媒体としてＤＶＤ（ディジタルバーサタイルディスク）が注目されている。このＤＶＤは、直径が１２ｃｍで厚さ１．２ｍｍであり、ＣＤ（コンパクトディスク）と同形状ながら、記録密度をあげることにより単層で４．７ＧＢ、２層で８．５ＧＢの記憶容量を実現している。また、ＭＰＥＧ２による画像データ圧縮技術やオーディオデータ圧縮技術の採用により、ＤＶＤには様々な種類のデータが混在して格納される。ＤＶＤディスクには、映画や音楽カラオケ等の映像、音声ソースが収められており、これらを再生するディスク装置によりユーザは音声、映像を楽しむことができる。また、ＣＤオーディオ、ビデオＣＤ、ＤＶＤビデオディスク、ＤＶＤオーディオディスク等の異なる種類のディスクを１台の再生装置で再生可能なディスク再生装置も存在している。
【０００３】
また、従来のディスク再生装置においては、ディスクの再生を中断した位置を記憶しておき、後で再生中断位置からの続き再生を行う続き再生機能を備えたものがある。特に、車載されたディスク再生装置にはこの続き再生機能を備えたものが多く、車両のＡＣＣ電源（アクセサリ電源）のオフに応じて再生中断位置を記憶しておき、後に車両のＡＣＣをオンした際に、記憶していた再生中断位置から続き再生を行っている。
【０００４】
【発明が解決しようとする課題】
ところで、従来の続き再生においては、ディスク装置の電源をオンすると前回再生中断した位置から自動的に再生を開始してしまうため、ユーザがまだ映像を見る体勢を整えていない間に映像再生を行ってしまい、うっかり続き再生直後の映像を見逃してしまうことがあった。再生するソースによっては、見逃した場面がその後の場面に関して重要なものである場合があり、そのまま再生を続けて見てもユーザは内容を把握することができないことがある。そのため、続き再生直後の映像を見逃してしまった場合、ユーザは操作部を操作して再生位置を見逃した場面まで戻さなければならず、面倒であった。
【０００５】
また、ＤＶＤビデオ等に記録された映画などを再生する場合には、前回再生していた所との繋がりを気にすることが多いが、従来のように、再生中断位置からの続き再生では、前回と今回とのストーリの繋がり具合を把握することができないことがあった。このため、ユーザは前回再生を中断した位置より少し前まで再生位置を戻す操作をしてそれまで内容がどのような内容であったかを確認する操作をしなければならず面倒であった。
【０００６】
特に、車両に搭載されたディスク再生装置の場合、続き再生となる場合が多く、その度に、上記のような再生位置を戻す操作を行うことは煩わしいことであった。車両のキーをオフにした際に再生していた位置を記憶しておき、次に車両のキーをオンしたときに、記憶していた再生中断位置からの続き再生を行うことになるが、車両に乗り込んでキーをオンにしたときにすぐに続き再生を開始すると、ユーザは映像を見る体勢を整える前に続き再生が始まってしまうため、続き再生開始直後の映像を見逃してしまうことがある。見逃した映像があまりストーリに関係しない場合は良いが、重要な映像であった場合、ユーザは操作部を操作して見逃してしまった場面まで再生位置を戻す操作を行わなければならず、面倒であった。
【０００７】
以上から、本発明の目的は、ＤＶＤビデオ等の映像を含むディスクの続き再生時に、ユーザの意志にあった続き再生を行うことのできるディスク再生装置を提供することである。
【０００８】
【課題を解決するための手段】
上記課題は本発明によれば、ＤＶＤビデオディスク等の動画映像を含むディスクを再生可能なディスク再生装置において、ディスクに記録された信号を読み出して画像および音声の再生を行うデータ再生手段と、ディスク再生装置の電源がオフされたときにディスクの再生中断位置を記憶する再生中断位置記憶手段と、ディスク再生装置の電源がオンされたときに前記再生中断位置記憶手段に記憶された再生中断位置に関連する再生位置の静止画を表示させるとともに音声出力を停止させる再生ポーズ手段と、前記再生ポーズを解除するポーズ解除手段とを備えたディスク再生装置により達成される。
すなわち以上のように構成すれば、ディスク再生装置の電源をオンしたときに、前回ディスク再生装置の電源をオフした際の再生中断位置で再生ポーズにより静止画を確認してから続き再生を行うことができる。
【０００９】
また、上記課題は本発明によれば、前記再生ポーズ手段は、ディスク再生装置の電源がオンされたときに前記再生中断位置より所定時間前の再生位置の静止画を表示するとともに音声出力を停止するディスク再生装置により達成される。
すなわち、ディスク再生装置の電源をオンしたら、前回の再生中断位置より所定時間前の再生位置で再生ポーズにより静止画を表示してから続き再生を行うことができる。
【００１０】
また、上記課題は本発明によれば、前記再生ポーズ解除手段は、ディスク再生装置の電源がオンされてから所定時間経過したときに再生ポーズを解除するディスク再生装置により達成される。
すなわち、ディスク再生装置の電源をオンしたら、前回の再生中断位置で再生ポーズにより静止画を所定時間表示した後、自動的に続き再生を行うことができる。
【００１１】
また、上記課題は本発明によれば、ディスクの種類を判別するディスク種類判別手段をさらに備え、前記再生ポーズ手段は、前記ディスク判別手段の判別結果に基づいて、動画映像を含むディスクの再生時にディスク再生装置の電源がオンされたときに前記再生中断位置記憶手段に記憶された再生中断位置に関連する再生位置の静止画を表示させるとともに音声出力を停止させることを特徴とするディスク再生装置により達成される。
すなわち、ディスク装置の電源をオンしたときにすぐに続き再生を行うか、一旦再生ポーズ状態としてから続き再生を行うかを、ディスクの種類に応じて切り替えることができる。
【００１２】
また、上記課題は本発明によれば、ＤＶＤビデオディスク等の動画映像を含むディスクを再生可能なディスク再生装置において、ディスクに記録された信号を読み出して画像および音声の再生を行うデータ再生手段と、ディスクの種類を判別するディスク種類判別手段と、ディスク再生装置の電源がオフされたときにディスクの再生中断位置を記憶する再生中断位置記憶手段と、ディスク再生装置の電源がオンされたときに、前記ディスク種類判別手段の判別結果に基づいて、動画映像を含むディスクの再生時には、前記再生中断位置より所定時間前の再生位置から再生を行い、動画映像を含まないディスクの再生時には、前記再生中断位置より再生を行う再生手段とを備えたディスク再生装置により達成される。
すなわち、以上のようにすれば、再生するディスクの種類に応じて、ディスク再生装置の電源をオンしたときに前回の再生中断位置から再生を行うか、再生中断位置より所定時間前の再生位置から再生を行うかを自動的に切り替えることができる。
【００１３】
【発明の実施の形態】
以下、本発明を適用したディスク再生装置について説明する。
（ａ）ＤＶＤビデオに記録されたデータの内容
まず、ディスク型記録媒体としてのＤＶＤビデオに記録されたデータの詳細について説明する。図１は、ＤＶＤのボリューム空間の構造を示す図である。同図に示すように、ＤＶＤのボリューム空間は、ＤＶＤの内周から外周に向かって、ボリューム・ファイル構造、ＤＶＤ−Ｖｉｄｅｏゾーン、ＤＶＤ−Ｏｔｈｅｒゾーンによって構成されている。これらのうち、ＤＶＤ−Ｖｉｄｅｏゾーンには、再生動作に必要な各種のデータが含まれている。ＤＶＤ−Ｖｉｄｅｏゾーンは、ビデオマネージャ（ＶＭＧ）と各タイトルに対応する１つ以上のビデオタイトルセット（ＶＴＳ）によって構成されている。
【００１４】
図２は、ＶＭＧのデータ構造を示す図である。同図に示すように、ＶＭＧは、ビデオマネージャ情報（ＶＭＧＩ）、ＶＭＧメニュー用ビデオオブジェクトセット（ＶＭＧＭ＿ＶＯＢＳ）、ＶＭＧＩのバックアップファイル（ＶＭＧＩ＿ＢＵＰ）によって構成されている。
【００１５】
ＶＭＧＩは、ＶＴＳに関する情報（例えばＶＴＳの数、各ＶＴＳの識別情報、ＤＶＤ内の各ＶＴＳの格納位置等）、タイトルメニューに表示されるタイトルの表示順、複数のプログラムチェーン情報（ＰＧＣＩ）、ＤＶＤを識別するためのディスクＩＤ（ＤＶＤ＿ＩＤ）等が含まれている。ＶＭＧＭ＿ＶＯＢＳは、１つ以上のビデオオブジェクト（ＶＯＢ）によって構成されている。このＶＯＢは、タイトルを選択するためのメニュー画面（タイトルメニュー画面）を再生する際の再生データであるビデオデータを含んでいる。
【００１６】
図３は、ＶＴＳのデータ構造を示す図である。同図に示すように、ＶＴＳは、ビデオタイトルセット情報（ＶＴＳＩ）、ＶＴＳメニュー用ビデオオブジェクトセット（ＶＴＳＭ＿ＶＯＢＳ）、ＶＴＳタイトル用ビデオオブジェクトセット（ＶＴＳＴＴ＿ＶＯＢＳ）、ＶＴＳＩのバックアップファイル（ＶＴＳＩ＿ＢＵＰ）によって構成されている。
【００１７】
ＶＴＳＩは、タイトルを識別するためのＶＴＳ＿ＩＤ等のタイトルに関する情報、１つ以上のＰＧＣＩ等が含まれている。ＶＴＳＭ＿ＶＯＢＳおよびＶＴＳＴＴ＿ＶＯＢＳは、１つ以上のＶＯＢによって構成されている。このＶＯＢは、ビデオデータやオーディオデータ等の再生データを含んでいる。また、各ＶＯＢを識別するためのＶＯＢ＿ＩＤは、ＶＴＳＩに含まれている。
【００１８】
再生動作における論理的な処理単位であるプログラムチェーン（ＰＧＣ）は、プログラムチェーン情報（ＰＧＣＩ）と１あるいは複数のビデオオブジェクト（ＶＯＢ）によって構成される。例えば、ＶＭＧＩ内の１個のＰＧＣＩとＶＭＧＭ＿ＶＯＢＳ内の１あるいは複数のＶＯＢによってＰＧＣが構成される。また、ＶＴＳＩ内の１個のＰＧＣＩとＶＴＳＭ＿ＶＯＢＳ内の１あるいは複数のＶＯＢによってＰＧＣが構成される。あるいは、ＶＴＳＩ内の１個のＰＧＣＩとＶＴＳＴＴ＿ＶＯＢＳ内の１あるいは複数のＶＯＢによって構成される。
【００１９】
図４は、上述したＶＭＧＭ＿ＶＯＢＳ、ＶＴＳＭ＿ＶＯＢＳ、ＶＴＳＴＴ＿ＶＯＢＳを構成するＶＯＢのデータ構造を示す図である。同図に示すように、ＶＯＢは、複数のセルによって構成されており、各セルは１つ以上のビデオオブジェクトユニット（ＶＯＢＵ）によって構成されている。そして、各ＶＯＢＵは、ナビゲーションパック（ＮＶ＿ＰＣＫ）と、ビデオパック（Ｖ＿ＰＣＫ）と、サブピクチャパック（ＳＰ＿ＰＣＫ）およびオーディオパック（Ａ＿ＰＣＫ）の少なくとも１つを含んで構成されている。
【００２０】
ＮＶ＿ＰＣＫは、再生制御情報（ＰＣＩ）、データサーチ情報（ＤＳＩ）を含んで構成されている。ＰＣＩとＤＳＩには、次に再生すべきＶＯＢＵの位置やＶＯＢＵのデータ量や再生時間等が設定されている。Ｖ＿ＰＣＫ、ＳＰ＿ＰＣＫ、Ａ＿ＰＣＫは、それぞれ再生データの種別（動画、サブピクチャ、オーディオ）等の情報が含まれているパックヘッダ、パケットヘッダや、データ圧縮されたビデオデータ、サブピクチャデータ、オーディオデータ（圧縮再生データ）を含んで構成されている。続き再生を行うためには、再生中断時のセルナンバーとＮＶ＿ＰＣＫのアドレスを記憶しておくことにより、次に続き再生が指示された際に、再生中断位置のセルナンバーとＮＶ＿ＰＣＫのアドレスに基づいて再生中断位置からの続き再生を行うことが可能となる。また、再生中断時にセルナンバー、ＮＶ＿ＰＣＫのアドレスとは別に再生制御情報であるシステムパラメータ、ジェネラルパラメータを記憶しておき、次に続き再生を行う際には、記憶したシステムパラメータ、ジェネラルパラメータに基づいて再生を行う。
【００２１】
（ｂ）第１実施例
図５は、本発明を適用した第１実施例のＤＶＤ再生装置の全体構成を示す図である。
同図に示すＤＶＤ再生装置１００は、ＤＶＤ１０に記録された信号を読み取るためのスピンドルモータ１２、光ピックアップ１４、送りモータ１６およびサーボ制御部１８と、読み取った信号の増幅等を行うためのＲＦアンプ２２、デジタル信号処理部２４、４個のバッファ用ＲＡＭ２６、３４、３８、４２、ストリーム分離部３０、オーディオデコーダ３２、ビデオデコーダ３６、サブピクチャデコーダ４０、ビデオプロセッサ４４、ビデオエンコーダ４６およびデジタル−アナログ（Ｄ／Ａ）変換器４８と、利用者が各種の指示を入力する操作部５８と、ＤＶＤ再生装置１００の全体を制御するためのシステムコントローラ６０とを含んで構成されている。
【００２２】
スピンドルモータ１２は、ＤＶＤ１０を一定の線速度で回転させる。光ピックアップ１４は、ＤＶＤ１０に記録されたデータを検出するものであり、例えば半導体レーザとホトダイオードとが内蔵されている。送りモータ１６は、光ピックアップ１４をＤＶＤ１０の径方向に移動させるものである。
【００２３】
サーボ制御部１８は、上述したスピンドルモータ１２および送りモータ１６を駆動するとともに、光ピックアップ１４に内蔵された対物レンズ（図示せず）を動かすことにより半導体レーザの焦点位置をＤＶＤ１０の記録面と垂直方向および水平方向に移動させる。また、サーボ制御部１８は、ＤＶＤ１０からのデータの読み取りに必要な各種サーボ（フォーカスサーボ、トラッキングサーボ、回転サーボ）制御を行う。
【００２４】
ＲＦアンプ２２は、光ピックアップ１４に内蔵されたホトダイオードから出力される電気信号を増幅するものであり、ＤＶＤ再生装置１００に大きな振動や衝撃が加わってトラックジャンプが発生すると、トラックジャンプ検出信号を出力する機能も有している。
【００２５】
デジタル信号処理部２４は、ＲＦアンプ２２から出力される信号に対して、デジタルデータに変換した後にＤＶＤ１０のデータフォーマットに応じた信号復調処理（８−１６復調処理）と誤り訂正処理を行い、ＲＡＭ２６に格納する。そして、デジタル信号処理部２４は、システムコントローラ６０の指示に応じて、ＲＡＭ２６に格納したデータに含まれるＶＯＢＵを抽出してストリーム分離部３０に出力する。
【００２６】
ストリーム分離部３０は、システムコントローラ６０の指示に応じて、デジタル信号処理部２４から出力されるＶＯＢＵを構成するパックヘッダを解析することにより、オーディオパック（Ａ＿ＰＣＫ）、ビデオパック（Ｖ＿ＰＣＫ）、サブピクチャパック（ＳＰ＿ＰＣＫ）、ナビゲーションパック（ＮＶ＿ＰＣＫ）を分離し、ストリーム分離部３０により分離されたオーディオパックはオーディオデコーダ３２へ出力され、ビデオパックはビデオデコーダ３６へ出力され、サブピクチャパックはサブピクチャパックへ出力され、ナビゲーションパックはシステムコントローラ６０に転送される。
【００２７】
オーディオデコーダ３２は、ストリーム分離部３０から出力されるオーディオパックに対して所定のデコード処理を行ってオーディオデータを出力する。ビデオデコーダ３６は、ストリーム分離部３０から出力されるビデオパックに対して所定のデコード処理を行ってビデオデータを出力する。サブピクチャデコーダ４０は、ストリーム分離部３０から出力されるサブピクチャパックに対して所定のデコード処理を行ってサブピクチャデータを出力する。
【００２８】
ビデオプロセッサ４４は、システムコントローラ６０の指示に応じて、ビデオデコーダ３６から出力されるビデオデータとサブピクチャデコーダ４０から出力されるサブピクチャデータとを合成した画像データを生成し、ビデオエンコーダ４６に出力する。例えば、サブピクチャデコーダ４０から出力される字幕用サブピクチャデータをビデオデコーダ３６から出力されるビデオデータに合成することにより画像データを生成する。ビデオエンコーダ４６は、ビデオプロセッサ４４から出力される画像データを表示用の映像データに変換する。
【００２９】
Ｄ／Ａ変換器４８は、オーディオデコーダ３２から出力されるオーディオデータをアナログのオーディオ信号に変換する。このオーディオ信号が例えばスピーカ（図示せず）から出力されることによって、オーディオ音声の再生が行われる。
【００３０】
操作部５８は、タイトル内容の再生指示を与えるための再生キー、早送り再生指示を与えるための早送りキー、早戻し再生指示を与えるための早戻しキー、上下左右のカーソルキー、表示画面上のカーソル位置にある項目の確定を行う設定キー、ディスク再生装置の電源オン／オフを行う電源スイッチ等の各種操作キーを備えており、キーの操作状態に応じた信号がシステムコントローラ６０に向けて出力される。
【００３１】
システムコントローラ６０は、各種のサーボ指令をサーボ制御部１８に出力したり、利用者の操作指示に応じた画像生成指示をビデオプロセッサ４４に出力する等、全機能ブロックの制御を行う。また、システムコントローラ６０は、デジタル信号処理部２４から出力されるデータに含まれるＶＭＧＩ、ＶＴＳＩ、ストリーム分離部３０から出力されるＮＶ＿ＰＣＫを受け取って解析することにより、ストリーム分離部３０に対して再生動作に必要な各種の制御を行う。
【００３２】
また、図６に示すように、システムコントローラ６０は再生動作中に所定時間毎（例えば１秒毎）に現在再生中のセルナンバーおよびＮＶ＿ＰＣＫのアドレスをＲＡＭ６２に記憶させ、現在の再生位置より所定時間（例えば１０秒）前までの再生位置を保持している。また、利用者の再生中断指示（再生装置の電源オフ）に応じて、再生動作を停止し、次回、利用者による再生装置の電源オンされたときに、システムコントローラ６０は、ＲＡＭ６２に記憶した複数の再生位置から所定の再生位置に関するセルナンバーおよびＮＶ＿ＰＣＫのアドレスを読み出し、読み出したアドレスに基づいて続き再生を行う。また、図示しないバックアップ電源により、ディスク再生装置の電源がオフされてもＲＡＭ６２の記憶内容は保持されるようになっている。また、ＲＡＭ６２に代えて書き換え可能な不揮発性メモリを用いることで、再生中断時のアドレスを保持するようにしてもよい。
【００３３】
図７は、ディスク再生動作中の再生位置をＲＡＭ６２に記憶する際の動作フローを示す図である。ここでは、ディスク再生装置が通常の再生動作を行っているものとする。システムコントローラ６０は、ＤＶＤディスクから読み出した再生時間情報を基に、前回再生位置のアドレスを記録してから所定時間（１秒）が経過したか否かを判断し（ステップＳ１０１）、所定時間（１秒）が経過していない場合には、所定時間が経過するまで待機する。
【００３４】
ステップＳ１０１で、前回の再生位置を記憶してから１秒経過したら、システムコントローラ６０は、ＲＡＭ６２に所定時間（１０秒）分の再生位置が記録されているか否かを判断し（ステップＳ１０２）、所定時間分の再生位置が記録されていない場合、ＲＡＭ６２内の次の領域に現在の再生位置（セルナンバー、ＮＶ＿ＰＣＫのアドレス）を記憶する。
【００３５】
ステップＳ１０２で、所定時間分の再生位置が記憶されている場合、システムコントローラ６０は、ＲＡＭ６２に記憶してある最も古い再生位置を消去し、現在の再生位置を記憶する（ステップＳ１０４）。
【００３６】
ステップ１０３またはステップＳ１０４で、現在の再生位置の記憶を行ったら、システムコントローラ６０は、利用者が操作部を操作して再生中断指示や装置の電源オフを行ったか否かを判断し（ステップＳ１０５）、再生中断指示がない場合には、ステップＳ１０１に戻り、処理を継続する。
【００３７】
以上のようにして、システムコントローラ６０は、ＲＡＭ６２に現在の再生位置より所定時間前までの再生位置を示すセルナンバー、ＮＶ＿ＰＣＫのアドレスを更新して記憶している。
【００３８】
次回、利用者の指示等により続き再生がされる場合には、システムコントローラ６０は、ＲＡＭ６２に記憶されている複数の再生位置（セルナンバー、ＮＶ＿ＰＣＫのアドレス）の内、最も古い再生位置情報に基づいて続き再生を行う。つまり、再生中断した位置より所定時間前から再生を行うことができる。
【００３９】
また、続き再生を行う際に、再生中断位置の画像を静止画として表示して再生ポーズ状態で復帰し、利用者のポーズ解除指示に応じて再生動作を開始したり、再生ポーズ状態で復帰してから所定時間（例えば１０秒）利用者の操作が無い場合に自動的に再生動作を開始するようにすることもできる。
【００４０】
図８は、第１実施例のＤＶＤ再生装置の続き再生を行う際の動作フローを示す図である。
第１実施例においては、車両に搭載したＤＶＤ再生装置とし、ＤＶＤ再生装置の電源は、車両のキーのオン／オフに応じて、オン／オフ切り替えられるものとする。また、再生途中でＤＶＤ再生装置の電源をオフした時の再生中断位置から所定時間前までの再生位置をＲＡＭ６２に記憶してあるものとする。また、ＤＶＤ再生装置の電源をオンすることにより続き再生を行う設定になっているものとする。
【００４１】
まず、システムコントローラ６０は、利用者が操作部５８を操作したり、車両のキー（図示せず）をオンすることによりして再生装置の電源をオンしたか否かを判断し（ステップＳ２０１）、再生装置の電源がオンされるまで待機する。
【００４２】
ステップＳ２０１で再生装置の電源がオンされたら、システムコントローラ６０は、ＲＡＭ６２に記憶されている複数の再生位置情報の中から最も古い再生位置情報（前回電源オフした際の再生位置から１０秒前の再生位置）を読み出す（ステップＳ２０２）。
【００４３】
次に、システムコントローラ６０は、ステップＳ２０２で読み出した再生位置情報に基づいて、ＤＶＤ１０からデータを読み取り、静止画を表示させると共に音声出力を停止する再生ポーズを行う（ステップＳ２０３）。
【００４４】
そして、この再生ポーズを行いながら、システムコントローラ６０は、利用者が操作部５８を操作してポーズ解除指示を行ったか否かを判断し（ステップＳ２０４）、ポーズ解除指示がない場合には、システムコントローラ６０は、内蔵の時計（図示せず）を参照して再生ポーズ時間が所定時間（例えば１０秒）に達したか否かを判断する（ステップＳ２０５）。ステップＳ２０５で所定時間に達していない場合にはステップＳ２０４に戻り、動作を継続する。
【００４５】
ステップＳ２０４で再生ポーズ解除指示があった場合、または、ステップＳ２０５で所定時間（１０秒）が経過した場合、システムコントローラ６０は、再生ポーズ状態を解除して再生ポーズ位置からの再生を開始する（ステップＳ２０６）。
【００４６】
以上のようにすれば、ディスク再生装置の電源をオンした時に、前回電源をオフした時の再生中断位置より所定時間前の再生位置から再生を行うことができる。また、電源をオンしたときに自動的に再生ポーズを行うことができ、ユーザの意志に応じて再生を行うことができる。さらに、再生ポーズ状態で所定時間が経過したときに、ユーザの操作なしに自動的に再生を開始することができる。
【００４７】
尚、上記実施例の説明においては、ディスク再生装置の電源をオフしたときに再生中断位置を記憶しておき、次にディスク再生装置の電源をオンしたときに再生中断位置より所定時間前の再生位置で再生ポーズするようにしたが、ディスク再生装置の電源をオンしたときに再生中断位置で再生ポーズするようにしてもよい。
【００４８】
（ｃ）第２実施例
図９は、本発明の第２実施例のディスク再生装置の構成を示す図である。第２実施例におけるディスク再生装置は、同形状の複数種類のディスクを再生可能なディスク再生装置であり、例えば、ＣＤオーディオ、ビデオＣＤ、ＤＶＤビデオ、ＤＶＤオーディオ等の複数種類のディスクを再生可能なディスク再生装置であるものとする。
【００４９】
図９において、７０はＣＤオーディオ、ビデオＣＤ、ＤＶＤビデオ、ＤＶＤオーディオ等のディスク、７２はディスク再生装置全体を制御するシステムコントローラ、７４はディスク７０からデータを読み出すディスクデータ読出部、７６はディスクデータ読出部７４から入力されるデータを音声信号や映像信号に再生する再生部であり、ＣＤ規格のディスクの再生を行うＣＤ再生部７６ａとＤＶＤ規格のディスクの再生を行うＤＶＤ再生部７６ｂとを備えている。７８は操作部、８０は再生中断位置を記憶しておくためのＲＡＭである。ＲＡＭ８０は図示しないバックアップ用電源が供給されており再生装置の電源がオフされても、ＲＡＭ８０の記憶内容は保持される。
【００５０】
再生部７６は、ディスクデータ読出部７４から入力されるデータをディスクの種類に応じて、ＣＤ再生部７６ａやＤＶＤ再生部７６ｂに切り換えて再生するものであり、ディスクがＣＤやビデオＣＤであればＣＤ再生部７６ａで再生処理を行い、ディスクがＤＶＤビデオやＤＶＤオーディオであればＤＶＤ再生部７６ｂで再生処理を行って、音声信号や映像信号を出力する。
【００５１】
図１０は、本発明の第２実施例の動作フローを示す図である。第１実施例と同様に電源オフ時に再生中断位置から所定時間前（１０秒前）までの再生位置をＲＡＭ８０に記憶しているものとする。
【００５２】
まず、システムコントローラ７２は、ユーザの操作によりディスク再生装置の電源がオンされたか否かを判断し（ステップＳ３０１）、ディスク再生装置の電源がオンされるまで待機する。
【００５３】
ステップＳ３０１で、ディスク再生装置の電源がオンされると、システムコントローラ７２は、現在装填されているディスクの種類を判別する（ステップＳ３０２）。例えば、ＣＤ規格であるディスクとＤＶＤ規格であるディスクとのディスク種類判別は、ディスク表面から信号記録面までの距離の違いによる対物レンズ（図示せず）の移動距離の違いから判別し、また、ＣＤ規格のディスクであるＣＤオーディオとビデオＣＤとの判別は、ディスクに記録されているＣＤの種類情報を読み込んで判別し、ＤＶＤ規格のディスクであるＤＶＤオーディオとＤＶＤビデオとの判別もまたディスクのＤＶＤの種類情報から判別することができる。
【００５４】
次に、システムコントローラ７２は、ステップＳ３０２で判別したディスク種類に応じて、そのディスクが動画映像を含むディスクであるか否かを判断し（ステップＳ３０３）、装填されているディスクが動画映像を含まないディスクである場合、例えばＣＤオーディオ、ＤＶＤオーディオであれば、ＲＡＭ８０に記録されている複数の再生位置の内から最も新しい再生位置を読み出し、続き再生を行う（ステップＳ３０４）。
【００５５】
ステップＳ３０３で、動画映像を含むディスク、例えばビデオＣＤ、ＤＶＤビデオであれば、システムコントローラ７２は、ＲＡＭ８０に記憶されている前回再生中断された位置より所定時間前（例えば１０秒前）の再生位置のデータをディスクから読み込んで、静止画を表示する再生ポーズを行う（ステップＳ３０５）。
【００５６】
再生ポーズ状態において、システムコントローラ７２は、ユーザが操作部７８を操作してポーズ解除指示を行ったか否かを判断し（ステップＳ３０６）、ユーザによるポーズ解除指示が行われない場合、システムコントローラ７２は、内蔵の時計（図示せず）を参照して、再生ポーズ時間が所定時間（例えば１０秒）経過したか否かを判断する（ステップＳ３０７）。ステップＳ３０７で、所定時間が経過していない場合、ステップＳ３０６に戻り処理を継続する。
【００５７】
ステップＳ３０６でユーザによるポーズ解除指示があった場合、または、ステップＳ３０７で所定時間が経過した場合、システムコントローラ７２は、再生ポーズを解除して再生ポーズ位置から通常の再生を開始する（ステップＳ３０８）。
【００５８】
以上のようにすることで、ディスクの種類に応じて、動画映像を含むディスクの場合には再生中断位置より少し前の再生位置で再生ポーズを行い、音声のみのディスクの場合には再生中断位置から続き再生を行うように自動的に切り替えて行うことができる。また、再生ポーズ中に所定時間経過すると自動的にポーズを解除して再生を開始することができる。
【００５９】
尚、上記実施例の説明においては、ディスクを再生中に所定時間毎（１秒毎）に再生位置を所定時間分記憶しておき、映像を含むディスクの続き再生時には記憶している複数の再生位置の中で最も古い再生位置から再生するようにしたが、再生中断時に再生中断位置を記憶しておき、続き再生時には記憶している再生中断位置より所定時間だけ前の再生位置を算出するようにしてもよい。
【００６０】
また、上記実施例の説明においては、ディスク再生装置の電源をオンしたときに、再生中断位置から所定時間前の再生位置で再生ポーズを行い、ユーザの指示または所定時間経過したら再生ポーズを解除して再生を行うようにしたが、ディスク再生装置の電源をオンしたら再生中断位置より所定時間前の再生位置から自動的にディスク再生を行うようにしてもよい。
【００６１】
また、上記第１実施例、第２実施例の説明においては、ユーザが操作部を操作することにより、再生装置の電源のオン／オフを行うようにしたが、本発明のディスク再生装置を車両に搭載する場合には、車両のメインキーのオン／オフにより再生装置の電源のオン／オフ切り替えを行うようにしてもよいことは言うまでもない。
【００６２】
また、上記実施例の説明においては、再生中断時に記憶するデータとして、セルナンバー、ＮＶ＿ＰＣＫのアドレスとして説明したが、再生中断時の再生制御情報であるシステムパラメータ、ジェネラルパラメータ等を合わせて記憶しておき、続き再生時に記憶しておいたシステムパラメータ、ジェネラルパラメータに基づいて再生中断時のディスク再生状態で再生を行うようにすることは言うまでもない。
【００６３】
以上、本発明を実施例により説明したが、本発明は請求の範囲に記載した本発明の主旨に従い種々の変形が可能であり、本発明はこれらを排除するものではない。
【００６４】
【発明の効果】
以上から、本発明によれば、ディスク再生装置の電源がオフされたときの再生中断位置を記憶しておき、次に再生装置の電源がオンされたときに前回再生中断した位置において再生ポーズを行い、再生ポーズ解除指示がされてから続き再生を行うようにしたから、前回の再生中断位置の静止画を確認してから続き再生を行うことができる。また、ユーザが再生ポーズ解除指示を行ってから続き再生を開始するので、再生開始直後の映像をうっかり見逃してしまうことがなく便利である。特に、車載された再生装置に本発明を適用すれば、車両に乗車してから画面を見る体勢を整えてから続き再生を行うことができ、便利である。
【００６５】
また、本発明によれば、ディスク装置の電源をオンしたときに、前回の再生中断位置において再生ポーズを行い、所定時間経過後に自動的に再生ポーズを解除して続き再生を行うようにしたから、再生中断位置の静止画を確認した後にユーザがポーズ解除指示をすることなく続き再生を行うことができ、ユーザの手間を軽減することができる。
【００６６】
また、ディスク再生装置の電源をオンしたときに、前回の再生中断位置より所定時間前の再生位置からディスク再生を行うようにしたから、前回までの再生映像との繋がりを容易に把握することができる。
【００６７】
また、本発明によれば、ディスクの種類に応じて、動画映像を含むディスクの続き再生時には再生中断位置より所定時間前の再生位置から続き再生を行い、音声のみのディスクの続き再生時には、再生中断位置から続き再生を行うようにしたから、ディスクの種類に応じて自動的に続き再生開始位置を切り替えることができ便利である。
【図面の簡単な説明】
【図１】ＤＶＤのボリューム空間の構造を示す図である。
【図２】ＶＭＧのデータ構造を示す図である。
【図３】ＶＴＳのデータ構造を示す図である。
【図４】ＶＯＢのデータ構造を示す図である。
【図５】第１実施例のＤＶＤ再生装置の構成を示す図である。
【図６】ＲＡＭ６０に記録する再生位置の例を示す図である。
【図７】再生位置を記録する際の動作フローを示す図である。
【図８】第１実施例のＤＶＤ再生装置の続き再生時の動作フローを示す図である。
【図９】第２実施例のディスク再生装置の構成を示す図である。
【図１０】第２実施例のディスク再生装置の続き再生時の動作フローを示す図である。
【符号の説明】
１０・・・ＤＶＤ
１８・・・サーボ制御部
２４・・・デジタル信号処理部
５８、７８・・・操作部
６０、７２・・・システムコントローラ
６２、８０・・・ＲＡＭ
【図１】
0004172678.tif 000002
【図２】
0004172678.tif 000003
【図３】
0004172678.tif 000004
【図４】
0004172678.tif 000005
【図５】
0004172678.tif 000006
【図６】
0004172678.tif 000007
【図７】
0004172678.tif 000008
【図８】
0004172678.tif 000009
【図９】
0004172678.tif 000010
【図１０】
0004172678.tif 000011